(57)【要約】【課題】制御回路の保護を確実にしながら、コンデンサモータに使用するサーマルプロテクターの種類を集約し電気井戸ポンプのコスト低減、生産性の向上を図る。【解決手段】電源１７に、過負荷保護装置１５、サーマルプロテクター１３を備えるコンデンサモータ１０、及びコンデンサ１４を接続した制御回路１を有す電気井戸ポンプであって、前記コンデンサモータ１０の主コイル１１と補助コイル１２及び前記コンデンサ１４が直列に接続された前記制御回路１を有し、前記サーマルプロテクター１３が前記補助コイル１２とコンデンサ１４の間に接続される。【選択図】  図１
2007198143.tif 000002
【特許請求の範囲】
【請求項１】
電源に、過負荷保護装置、サーマルプロテクターを備えるコンデンサモータ、及びコンデンサを接続した制御回路を有す電気井戸ポンプであって、
前記コンデンサモータの主コイルと補助コイル及び前記コンデンサが直列に接続された前記制御回路を有し、
前記サーマルプロテクターが前記補助コイルとコンデンサの間に接続されている
ことを特徴とする電気井戸ポンプ。
【請求項２】
前記コンデンサモータの補助コイルに流れる最大補助電流が、前記主コイルを流れる最大負荷電流の１／２以下である
ことを特徴とする請求項１に記載の電気井戸ポンプ。
【請求項３】
前記サーマルプロテクターの電流容量が２０Ａ以下の小容量である
ことを特徴とする請求項１又は２に記載の電気井戸ポンプ。
【発明の詳細な説明】
【技術分野】
【０００１】
本発明は、電気井戸ポンプに関し、より詳しくはコンデンサモータを使用した電気井戸ポンプの制御回路の改良に関するものである。
【背景技術】
【０００２】
従来より、井戸用ポンプの運転は、ポンプヘッド部のケーシング内に収納された羽根車をモータで回転駆動させることで井戸水を揚水している（特許文献１）。
【０００３】
電気井戸用ポンプでは、駆動源としてコンデンサモータが一般に使用されている。
【０００４】
図２は、コンデンサモータを使用した電気井戸ポンプの一般的な制御回路１００の結線図である。図において、符号１１０は主コイル１１１、補助コイル１１２、及びサーマルプロテクター１１３とを備えるコンデンサモータである。
【０００５】
このコンデンサモータ１１０はコンデンサ１１４が接続され、さらにポンプの過負荷保護装置１１５と圧力スイッチ１１６とが接続され、電源１１７から通電される。
【０００６】
図に示すように、モータ温度の過昇防止用として、サーマルプロテクター１１３がモータ１１０の主コイル１１１に隣接し圧力スイッチ１１６側に取り付けられ、モータ１１０の過昇温によりサーマルプロテクター１１３が動作し主コイル１１１と圧力スイッチ１１６の間の回路１００を遮断するようになっている。
【０００７】
また、過負荷保護装置は１１５は制御回路内に過電流が流れた際に動作するリレーを備えて制御回路１００を保護している。
【特許文献１】特開平９−２９６７８０号公報（段落００２７）
【発明の開示】
【発明が解決しようとする課題】
【０００８】
上記従来の制御回路１００では、モータ１１０の過昇温により動作するサーマルプロテクター１１３と回路に流れる過電流により動作する過負荷保護装置１１５とが個別に機能している。
【０００９】
また、モータ１１０の出力の大きさにより主コイル１１１からサーマルプロテクター１１３に流れる負荷電流が異なってくるため、モータ１１０の出力に応じた容量のサーマルプロテクターが必要となり、サーマルプロテクターが多品種化され部品コストや生産性の点で不利になっている。
【００１０】
本発明は上記に鑑み、制御回路の保護を確実にしながら、コンデンサモータに使用するサーマルプロテクターの種類を集約し電気井戸ポンプのコスト低減、生産性の向上を図ることを目的としている。
【課題を解決するための手段】
【００１１】
請求項１の発明は、電源に、過負荷保護装置、サーマルプロテクターを備えるコンデンサモータ、及びコンデンサを接続した制御回路を有す電気井戸ポンプであって、前記コンデンサモータの主コイルと補助コイル及び前記コンデンサが直列に接続された前記制御回路を有し、前記サーマルプロテクターが前記補助コイルとコンデンサの間に接続されていることを特徴とする電気井戸ポンプである。
【００１２】
請求項２の発明は、前記コンデンサモータの補助コイルに流れる最大補助電流が、前記主コイルを流れる最大負荷電流の１／２以下であることを特徴とする請求項１に記載の電気井戸ポンプである。
【００１３】
請求項３の発明は、前記サーマルプロテクターの電流容量が２０Ａ以下の小容量であることを特徴とする請求項１又は２に記載の電気井戸ポンプである。
【発明の効果】
【００１４】
本発明の電気井戸ポンプによれば、モータ温度の過昇時にはサーマルプロテクターが開路し補助コイルとコンデンサとの間が遮断されることでモータが拘束され、過電流が過負荷保護装置に流れてリレーを動作させて回路を遮断することができる。
【００１５】
また、補助コイルに流れる最大補助電流は主コイルを流れる最大負荷電流の１／２以下であるので、小容量のサーマルプロテクターで小容量から大容量の出力のモータに対応することができる。
【００１６】
これにより、サーマルプロテクターと過負荷保護装置を同時に作動させ回路の保護を確実にし、またサーマルプロテクターの種類を集約し、電気井戸ポンプのコスト低減、生産性向上が図られる。
【発明を実施するための最良の形態】
【００１７】
以下、本発明の一実施形態について説明する。
【００１８】
図１は、コンデンサモータ１０を使用した電気井戸ポンプの制御回路１の結線図である。
【００１９】
図において、符号１０は、主コイル１１、補助コイル１２、及びモータ温度の過昇防止用のサーマルプロテクター１３とを備えるコンデンサモータである。
【００２０】
制御回路１は、電源１７に、過電流により動作するリレーを備えた過負荷保護装置１５、前記コンデンサモータ１０、及びコンデンサ１４、さらにポンプの圧力スイッチ１６を接続している。
【００２１】
図に示すように、コンデンサモータ１０の主コイル１１と補助コイル１２と、コンデンサ１４とが直列に接続され、サーマルプロテクター１３が補助コイル１２とコンデンサ１４の間に接続されている。
【００２２】
このように、サーマルプロテクター１３をモータ１０の補助コイル１２とコンデンサ１４の間に接続することにより、モータ温度の過昇時にはサーマルプロテクター１３が開路し、補助コイル１２とコンデンサ１４とが遮断されることでモータ１０が拘束され、制御回路１に過電流が流れるため過付加保護装置１５に備える過電流リレーを動作させ制御回路１を遮断することができる。
【００２３】
また、コンデンサモータ１０の補助コイル１２に流れる最大補助電流は、通常主コイル１１を流れる最大負荷電流の１／２以下であるので、サーマルプロテクター１３の電流容量は２０Ａ以下の小容量のサーマルプロテクターで回路の遮断操作が可能となり、小容量の１種類のサーマルプロテクターが小容量から大容量の出力までのコンデンサモータに使用することができるようになる。
【００２４】
これにより電気井戸ポンプ用モータのサーマルプロテクターの種類を統合することでサーマルプロテクターの大幅な部品価格の低下が期待でき、電気井戸ポンプのコスト低減、生産性向上が図られ、さらに納期の短縮につなぐことができる。
【産業上の利用可能性】
【００２５】
本発明の電気井戸ポンプは、井戸用の揚水ポンプとして使用することができる。
【図面の簡単な説明】
【００２６】
【図１】実施形態の制御回路を示す結線図である。
【図２】従来例の制御回路を示す結線図である。
【符号の説明】
【００２７】
１……制御回路
１０……コンデンサモータ
１１……主コイル
１２……補助コイル
１３……サーマルプロテクター
１４……コンデンサ
１５……過負荷保護装置
１６……圧力スイッチ
１７……電源
【図１】
2007198143.tif 000003
【図２】
2007198143.tif 000004